(57)【要約】【課題】同一周期の点滅表示が複数存在する場合に、点滅開始時及び点滅中の点滅周期の同期補正を行うことを可能とすること。【解決手段】複数の表示手段７と、複数の表示手段７を制御する制御手段８と、各表示手段７間の表示点滅の同期をとる同期補正手段１０とを備え、制御手段８の表示の点滅情報を元に同期補正手段１０が点滅周期の同期補正を行うことにより、同期信号というタイミングの基準とその時の点滅がＯＮ期間であるかＯＦＦ期間であるかを判断して次にＯＮ期間にするかＯＦＦ期間にするかを決定することにより、ちらつきを最小限度に押さえ、点滅周期の同期をとることが可能となる。【選択図】図１
2006286444.tif 000002
【特許請求の範囲】
【請求項１】
鍋を載置する天板と、前記天板の下方で前記鍋を加熱する加熱コイルと、前記加熱コイルに供給する電力を制御する誘導加熱制御手段と、火力・調理設定状態・温度状態等を表示する複数の表示手段と、前記複数の表示手段を制御する制御手段と、前記複数の表示手段間の表示点滅の同期をとる同期補正手段とを備え、前記制御手段が前記複数の表示手段に送る表示の点滅情報を元に前記同期補正手段が点滅周期の同期補正を行うことを特徴とした誘導加熱装置。
【請求項２】
複数の表示手段を制御する個々の制御手段と、各制御手段に同期信号を送る同期補正手段とを備え、前記同期補正手段から前記各制御手段に定期的に送る同期信号と各表示手段の点滅状態を元に点滅周期の同期補正を行うことを特徴とした請求項１に記載の誘導加熱装置。
【請求項３】
同期信号受信直後を点滅のＯＦＦ期間開始と定義した制御方式において同期信号受信直前に点滅のＯＮ期間になったばかりであった場合に、ＯＦＦ期間開始に強制的にするのではなく、ある一定期間ＯＮ期間を継続させておくことを特徴とした請求項１または２に記載の誘導加熱装置。
【請求項４】
同期信号受信直後を点滅のＯＮ期間開始と定義した制御方式において同期信号受信直前に点滅のＯＦＦ期間になったばかりであった場合に、ＯＮ期間開始に強制的にするのではなく、ある一定期間ＯＦＦ期間を継続させておくことを特徴とした請求項１または２に記載の誘導加熱装置。
【請求項５】
点滅状態でない場合でも同期信号により常に点滅周期を作成し、点滅開始時点がその点滅周期で行くとＯＮ期間で直後即ＯＦＦ期間と切り替わるタイミングであった時にその最初のＯＮ期間をＯＦＦ期間として制御することを特徴とした請求項１〜４のいずれか１項に記載の誘導加熱装置。
【請求項６】
点滅状態でない場合でも同期信号により常に点滅周期を作成し、点滅開始時点がその点滅周期で行くとＯＦＦ期間で直後即ＯＮ期間と切り替わるタイミングであった時にその最初のＯＦＦ期間をＯＮ期間として制御することを特徴とした請求項１〜５のいずれか１項に記載の誘導加熱装置。
【発明の詳細な説明】
【技術分野】
【０００１】
本発明は点滅を行う表示手段を複数備え、同一（または定倍）周期の点滅が同時に発生している場合においても点滅がバラバラにならない誘導加熱装置に関するものである。
【背景技術】
【０００２】
従来、この種の誘導加熱装置は、図７のブロック図に示すように、鍋１０１を載置する天板１０２と、天板１０２の下方に位置し、天板１０２の下方に位置し、誘導加熱により鍋１０１を加熱する加熱コイル１０３と、天板１０２が高温であることを表示する高温表示手段１０７とを備え、高温表示手段１０７は加熱コイル１０３の上方の天板１０２あるいは鍋１０１の温度に応じて表示する構成としている（例えば、特許文献１参照）。インバータ１０４により高周波電流が加熱コイル１０３へ供給され、加熱コイル１０３の上部近傍の天板１０２上に置かれた鍋１０１底に、渦電流が誘起され、鍋１０１が加熱され、天板１０２にその熱が伝導して天板１０２の温度が上昇する。天板１０２下方に設置された温度検出手段１０５により天板１０２の温度が高温だと判断されると高温表示手段１０７で高温表示が点灯する。温度検出手段１０５による温度情報等を元に誘導加熱制御手段１０６が加熱調整したり、急激な温度上昇を検知すれば誘導加熱制御手段１０６が火力停止または火力抑制をおこなったりする。そして、加熱停止後も天板１０２の温度が高いと検出した場合には高温中であることを点滅表示にて使用者に報知する構成とするものである。
【０００３】
また、スペースの関係上いくつかの部分の高温表示を１つにまとめて表示するという構成のものもある。
【特許文献１】特開２００２−１３４２５８号公報
【発明の開示】
【発明が解決しようとする課題】
【０００４】
しかしながら、前記従来の構成では、複数の加熱手段を同一本体に有する誘導加熱装置において、複数の高温である箇所を明確にする為には高温報知は高温箇所にできるだけ近く複数の箇所で行われた方が使用者には分かりやすく、使用者が複数の加熱手段を使用していて加熱終了するタイミングがどうしてもまちまちとなるので、同一点滅周期である表示であっても点滅がバラバラになってしまうという課題を有し、また、フリーランタイマを使用して点滅周期を発生させたとしても点滅開始時に一瞬ＯＮしたり一瞬ＯＦＦしたりといったちらつきが発生するという課題も有していた。
【０００５】
本発明は、前記従来の課題を解決するもので、同一周期の点滅表示が複数同時に発生しうる誘導加熱装置において、一瞬ＯＮしたり一瞬ＯＦＦしたりといったちらつきがなく素早く点滅の同期を行い点滅のばらつきを低減した誘導加熱装置を提供することを目的とする。
【課題を解決するための手段】
【０００６】
前記従来の課題を解決するために、本発明の誘導加熱装置は、鍋を載置する天板と、前記天板の下方で前記鍋を加熱する加熱コイルと、前記加熱コイルに供給する電力を制御する誘導加熱制御手段と、火力・調理設定状態・温度状態等を表示する複数の表示手段と、前記複数の表示手段を制御する制御手段と、前記複数の表示手段間の表示点滅の同期をとる同期補正手段とを備え、前記制御手段が前記複数の表示手段に送る表示の点滅情報を元に前記同期補正手段が点滅周期の同期補正を行うとしたものである。
【０００７】
これによって、同期信号を元に動作するタイマにより同一タイミングによるＯＮ／ＯＦＦ切替が行え、かつＯＮ／ＯＦＦ期間のどの状態で点滅開始が始まったかわかるのでちらつきの改善を行うことが可能となる。
【発明の効果】
【０００８】
本発明の誘導加熱装置は、複数の表示手段における点滅開始時及び点滅中の点滅周期の同期補正を行うことにより同一周期なのに点滅がバラバラになるというチグハグさを低減でき表示品質の向上ができる。
【発明を実施するための最良の形態】
【０００９】
第１の発明は、鍋を載置する天板と、前記天板の下方で前記鍋を加熱する加熱コイルと、前記加熱コイルに供給する電力を制御する誘導加熱制御手段と、火力・調理設定状態・温度状態等を表示する複数の表示手段と、前記複数の表示手段を制御する制御手段と、前記複数の表示手段間の表示点滅の同期をとる同期補正手段を備え、前記制御手段が前記複数の表示手段に送る表示の点滅情報を元に前記同期補正手段が点滅周期の同期補正を行うことにより、同期信号というタイミングの基準とその時の点滅がＯＮ期間であるかＯＦＦ期間であるかを判断して次にＯＮ期間にするかＯＦＦ期間にするかを決定することとなり点滅状態がバラバラになることを防ぐ事ができる。
【００１０】
第２の発明は、特に、第１の発明で、複数の表示手段を制御する個々の制御手段と、各制御手段に同期信号を送る同期補正手段とを備え、前記同期補正手段から前記各制御手段に定期的に送る同期信号と各表示手段の点滅状態を元に点滅周期の同期補正を行うとすることにより、例え１つの制御手段が故障しても他の制御手段は動作しその他の表示手段を制御することが可能でかつ複数の表示手段を直接制御しない場合においても表示手段を制御する全ての制御手段に定期的に送信する同期信号というタイミングの基準とその時の点滅がＯＮ期間であるかＯＦＦ期間であるかを判断して次にＯＮ期間にするかＯＦＦ期間にするかを決定することとなり１つの制御手段が故障しても全ての表示手段が影響を受けることはなく同期信号を送る制御手段が故障していなければ点滅状態がバラバラになることを防ぐ事ができる。
【００１１】
第３の発明は、特に、第１または第２の発明で、同期信号受信直後を点滅のＯＦＦ期間開始と定義した制御方式において同期信号受信直前に点滅のＯＮ期間になったばかりであった場合に、ＯＦＦ期間開始に強制的にするのではなく、ある一定期間ＯＮ期間を継続させておくとすることにより、最小のＯＮ期間を設定することが可能となり同期信号受信直後一瞬だけＯＮするような表示のちらつきを抑制することができる。
【００１２】
第４の発明は、特に、第１または第２の発明で、同期信号受信直後を点滅のＯＮ期間開始と定義した制御方式において同期信号受信直前に点滅のＯＦＦ期間になったばかりであった場合に、ＯＮ期間開始に強制的にするのではなく、ある一定期間ＯＦＦ期間を継続させておくとすることにより、最小のＯＦＦ期間を設定することが可能となり同期信号受信直後一瞬だけＯＦＦするような表示のちらつきを抑制することができる。
【００１３】
第５の発明は、特に、第１〜４のいずれか１つの発明で、点滅状態でない場合でも同期信号により常に点滅周期を作成し、点滅開始時点がその点滅周期で行くとＯＮ期間で直後即ＯＦＦ期間と切り替わるタイミングであった時にその最初のＯＮ期間をＯＦＦ期間として制御するとすることにより、最小のＯＮ期間を設定することが可能となり点灯開始時においても一瞬ＯＮするような表示のちらつきを抑制することができる。
【００１４】
第６の発明は、特に、第１〜４のいずれか１つの発明で、点滅状態でない場合でも同期信号により常に点滅周期を作成し、点滅開始時点がその点滅周期で行くとＯＦＦ期間で直後即ＯＮ期間と切り替わるタイミングであった時にその最初のＯＦＦ期間をＯＮ期間として制御するとすることにより、最小のＯＦＦ期間を設定することが可能となり点灯開始時においても一瞬ＯＦＦするような表示のちらつきを抑制することができる。
【００１５】
以下、本発明の実施の形態について、図面を参照しながら説明する。なお、この実施の
形態によって本発明が限定されるものではない。
【００１６】
（実施の形態１）
図１は、本発明の第１の実施の形態における誘導加熱装置のブロック図を示すものである。
【００１７】
図１において、本実施の形態の誘導加熱装置は、図示してない被加熱物を収容する鍋１と、鍋１を載置する天板２と、電磁誘導が発生し鍋１を発熱する加熱コイル３と、加熱コイル３に電磁誘導させるために高周波電流を供給するインバータ４と、天面の熱量を検出する温度検出手段５、温度検出手段５からの温度情報や加熱情報によりインバータ４へ供給する電力量を制御する誘導加熱制御手段６と、使用者の操作による入力情報を得る操作手段９と、火力・調理設定状態・温度状態等を表示する複数の表示手段７と、表示手段７に表示する内容を制御する制御手段８と、前記複数の表示手段間の点滅表示の同期をとる同期補正手段１０を備えている。
【００１８】
以上のように構成された誘導加熱装置について、以下その動作、作用を図２を用いて説明する。
【００１９】
まず、被加熱物を入れた鍋１を向かって左側の加熱コイル３上方の天板２上に載置し、操作手段９で調理を行う為に加熱を開始する（ステップＳ１）。調理が終了し加熱を停止する（ステップＳ２）。
【００２０】
加熱を停止した時に温度検出手段５により左側の加熱コイル３上方の天板２上の温度が高温であると判断する（ステップＳ３）と表示手段７上に高温報知の点滅表示を行う準備をする。同期信号入力直後をＯＦＦ期間開始と定義し、説明での便宜上ＯＦＦ期間の前半をモード０、ＯＦＦ期間の後半をモード１、ＯＮ期間の前半をモード２、ＯＮ期間の後半をモード３とする。
【００２１】
なお、モードについては、周期の長さによりちらつき防止の為もっと多く設定した方がいい場合もあるので必要に応じてモードを増やしても良い。
【００２２】
同期信号入力直後でないかまた点滅の開始時点のモードを確認する（ステップＳ４）。モードが０であると判断した場合（ステップＳ５）、即ＯＮ期間に移行することはないのでＯＦＦ期間設定を行う（ステップＳ６）。モードが０でない場合は次にモードが１であるか否かを判断し（ステップＳ７）、モードが１である場合には即ＯＮ期間に移行してしまう場合もある為本来はＯＦＦ期間であるけれどもＯＮ期間に設定する（ステップＳ８）。
【００２３】
モードが１でない場合は次にモードが２であるか否かを判断し（ステップＳ９）、モードが２である場合には即ＯＦＦ期間に移行しないのでＯＮ期間設定にする（ステップＳ１０）。モードが２でない場合モードは３であるので即ＯＦＦしてしまう場合がある（加熱中高温表示点灯の場合はそういうことはないが）。よって本来はＯＮ期間であるけれどもＯＦＦ期間設定を行う（ステップＳ１１）。次に、被加熱物を入れた鍋１を向かって右側の加熱コイル３の上方の天面２上に載置し、操作手段９で調理を行う為に加熱を開始する（ステップＳ１２）。調理が終了し加熱を停止する（ステップＳ１３）。加熱を停止した時に温度検出手段５により右側の加熱コイル３の上方の天板２上の温度が高温であると判断する（ステップＳ１４）と表示手段７上に高温報知の点滅表示を行う準備をする。同期信号入力直後でないかまた点滅の開始時点のモードを確認する（ステップＳ１５）。モードが０であると判断した場合（ステップＳ１６）、即ＯＮ期間に移行することはないのでＯＦＦ期間設定を行う（ステップＳ１７）。モードが０でない場合は次にモードが１であるか否かを判断し（ステップＳ１８）、モードが１である場合には即ＯＮ期間に移行してしまう場合もある為本来はＯＦＦ期間であるけれどもＯＮ期間に設定する（ステップＳ１９）。モードが１でない場合は次にモードが２であるか否かを判断し（ステップＳ２０）、モードが２である場合には即ＯＦＦ期間に移行しないのでＯＮ期間設定にする（ステップＳ２１）。モードが２でない場合モードは３であるので即ＯＦＦしてしまう場合がある（加熱中高温表示点灯の場合はそういうことはないが）。よって本来はＯＮ期間であるけれどもＯＦＦ期間設定を行う（ステップＳ２２）。
【００２４】
図３に、本発明の実施の形態１における誘導加熱装置のタイムチャートを示す。図１の下側に示す、ブロック図の制御手段Ａは、制御手段８及び同期補正手段１０の作用をし、複数箇所の表示手段Ａ、Ｂ、Ｃ、Ｄ、Ｅの制御をしている。この場合も前述と同様に補正することにより、点滅開始のタイミングが異なっても、例えば、表示手段Ｃ、Ｄに示すように短時間の表示変化によるちらつきをなくして、点滅タイミングをそろえることができる。
【００２５】
以上のように、本実施の形態においては同期補正手段１０で同期信号を作成し同期信号を元にＯＮ／ＯＦＦ期間を細分化してモードを作成し、制御手段８から送られる点滅開始情報を監視しておくことにより、表示手段７が点滅表示を開始する時点において同期補正手段１０から送られる同期信号に基づいたモード状況においてそのモードでの点滅表示のＯＮ／ＯＦＦの振る舞いを切り替えることとなり点滅タイミングがバラバラになることがなくかつ一瞬ＯＮとか一瞬ＯＦＦとか言ったちらつきを低減することができる。
【００２６】
（実施の形態２）
図４は、本発明の第２の実施の形態の誘導加熱装置のブロック図である。
【００２７】
図４において、本実施の形態の誘導加熱装置は、図示してない被加熱物を収容する鍋１と、鍋１を載置する天板２と、電磁誘導が発生し鍋１を発熱する加熱コイル３と、加熱コイル３に電磁誘導させるために高周波電流を供給するインバータ４と、天面の熱量を検出する温度検出手段５、温度検出手段５からの温度情報や加熱情報によりインバータ４へ供給する電力量を制御する誘導加熱制御手段６と、使用者の操作による入力情報を得る操作手段９と、火力・調理設定状態・温度状態等を表示する複数の表示手段７と、個々の表示手段７に表示する内容を制御する個々の制御手段８と、前記複数の表示手段間の点滅表示の同期をとる為に各制御手段８に同期信号を送る同期補正手段１０を備えている。
【００２８】
以上のように構成された誘導加熱装置について、以下その動作、作用を図５を用いて説明する。
【００２９】
まず、被加熱物を入れた鍋１を向かって左右両方の加熱コイル３上方の天板２上に載置し、操作手段９で調理を行う為に加熱を開始する。左右両方の調理が終了し加熱を停止する。加熱を停止した時に温度検出手段５により左右両方の加熱コイル３上方の天板２上の温度が高温であると判断すると表示手段７上に高温報知の点滅表示を行う。各制御手段は同期信号に基づいてモードを作成し点滅表示内容を個々の表示手段７へ送信開始する。制御手段８は定期的に同期信号を受信するが、同期信号が次に受信するまで（ステップＳ１０１）は各モードに合わせた点滅制御を制御手段８が行い表示手段７に表示情報を送る（ステップＳ１０２）。同期信号入力直後をＯＦＦ期間開始と定義し、説明での便宜上ＯＦＦ期間の前半をモード０、ＯＦＦ期間の後半をモード１、ＯＮ期間の前半をモード２、ＯＮ期間の後半をモード３とする。同期補正手段１０より同期信号を受信すると現在のモードが０と判断した場合（ステップＳ１０３）、モードを０のまま本来の通りＯＦＦ期間開始とする（ステップＳ１０４）。現在のモードが０でない場合次にモードが１か否かを判断する（ステップＳ１０５）。現在のモードが１であったと判断した場合現在のＯＮ／ＯＦＦ状況が本来の通りＯＦＦ期間であるかＯＮ期間であるか判断する（ステップＳ１０６）。これは実施の形態１で記載した強制的にＯＮ期間にしてしまう場合があるからである。ＯＮ期間であると判断した場合、モードを０に切り替えてモード０の時のみ強制的にＯＮ期間に設定する（ステップＳ１０７）。モード１以降は同期信号が入るまで本来の動作を継続する（モード０と１はＯＦＦ期間。モード２と３はＯＮ期間）。ＯＦＦ期間であると判断した場合、モードを０に切り替えて本来の動作通りＯＦＦ期間開始で動作する（ステップＳ１０８）。ステップＳ１０５で現在のモードが１ではないと判断した場合、次に現在のモードが２であるか否か判断する（ステップＳ１０９）。現在のモードが２であると判断した場合にはＯＮ直後ＯＦＦしてちらついてしまうのを防ぐ為にモード０に切り替えた時のみ強制的にＯＮ期間に設定する（ステップＳ１１０）。モード１以降は同期信号が入るまで本来の動作を継続する（モード０と１はＯＦＦ期間。モード２と３はＯＮ期間）。現在のモードが２でなかった場合には現在のモードは３ということになるので同期信号を受信した時点でモードを０に切り替えた時本来の動作通りにＯＦＦ期間に設定する。
【００３０】
図６に、本発明の実施の形態２における誘導加熱装置のタイムチャートを示す。図４の下側に示す、ブロック図の制御手段Ｅは、制御手段８及び同期補正手段１０または同期補正手段１０の作用をし、図６においては同期補正手段Ａから複数箇所の表示手段Ａ、Ｂ、Ｃ、Ｄを制御する制御手段Ａ、Ｂ、Ｃ、Ｄに同期信号を出力している。この場合も前述と同様に補正することにより、例えば、制御手段Ａのモード２で同期補正手段Ａからの同期信号を入力し同期信号モード０の間はモード０‘としてＯＮ期間を継続して同期補正手段Ａの次に来るモード１から同期させることにより、短時間の表示変化によるちらつきをなくして、点滅タイミングをそろえることができる。
【００３１】
以上のように、本実施の形態においては同期補正手段１０が各制御手段８に同期信号を定期的に送り制御手段８は同期信号を考慮し表示手段７に表示内容を送信することにより、定期的な同期信号を受信した時点での制御手段８内で設定しているモード状態をもとに同期信号受信後のモード０での点滅のＯＮ／ＯＦＦ状態を切り替えるとなり点滅表示が例え途中でずれてしまったとしても一瞬ＯＮとか一瞬ＯＦＦとかしてちらつくことなく最短で同期させることができる。
【産業上の利用可能性】
【００３２】
以上のように、本発明にかかる誘導加熱装置は、同一周期の点滅表示が複数個同時に発生する場合に点滅の同期をとることが可能となるので、二口とか三口とか複数個の加熱手段を持ち表示手段を複数搭載している加熱調理器等の用途にも適用できる。
【図面の簡単な説明】
【００３３】
【図１】本発明の実施の形態１における誘導加熱装置のブロック図
【図２】本発明の実施の形態１における誘導加熱装置の動作を示すフローチャート
【図３】本発明の実施の形態１における誘導加熱装置のタイムチャート
【図４】本発明の実施の形態２における誘導加熱装置のブロック図
【図５】本発明の実施の形態２における誘導加熱装置の動作を示すフローチャート
【図６】本発明の実施の形態２における誘導加熱装置のタイムチャート
【図７】従来例における誘導加熱装置を示すブロック図
【符号の説明】
【００３４】
１  鍋
２  天板
３  加熱コイル
４  インバータ
５  温度検出手段
６  誘導加熱制御手段
７  表示手段
８  制御手段
９  操作手段
１０  同期補正手段
【図１】
2006286444.tif 000003
【図２】
2006286444.tif 000004
【図３】
2006286444.tif 000005
【図４】
2006286444.tif 000006
【図５】
2006286444.tif 000007
【図６】
2006286444.tif 000008
【図７】
2006286444.tif 000009